(57)【要約】【課題】疎水性・相溶性の極めて困難な共有混合ソルベント体として、溶剤毒や環境問題、しいてはＰＲＴＲ，ＲＥＥＣＨなどの国際問題に対して代替する化合物はあるが、採算・効率・経済性に妙味がなく、手間暇かけてもソルベント処理の能率化が低下するデメリットも大きく、その中でこれらの全てを解決できる物として本発明が対応できる。【解決手段】基本的に２つの成分、一つはＣｎＨ２ｎ＋２の飽和炭化水素とＣ３〜４のアルコール変成異性体（水性）の組み合わせで、これに必要により（Ｃ５Ｈ８）ｎ（ｎは１〜３の正数）のテルペン系炭化水素を併用すれば、単なるソルベント効果のみではなく、溶解力・洗浄力、即ち溶解パラメーターが良くなり、そして何より安全性・安定性及び採算性（歩留まり向上）・省エネ・省ＣＯ２化など諸問題に対応できる、シンプルな組み合わせで組成されるソルベント組成物を提案するものである。その用途は周囲の電子装置（携帯電話・パソコンなど）から、スペーステクノロジーやハイテクノロジー・電子産業・メディカル産業・精密加工業（ファインケミカル・ファインメカニカル）などに波及することで、新たな創造技術の先駆けとなると思われる。【特許請求の範囲】
【請求項１】
（１）第１成分として、ＣｎＨ２ｎ＋２（ｎは４〜１５の正の整数）の液状の飽和炭化水素が５〜８０ｗ％
（２）第２成分として、Ｃ３〜４の変成低級１価アルコール変成体が１０〜７０ｗ％当該（１）及び（２）を必須成分として共有し、
（３）必要により第３成分として（Ｃ５Ｈ８）ｎ（ｎは１〜３の正の整数）が５〜６０ｗ％これらを含むことからなるポリブテン及びシロキサンなどの疎水性ポリマー体のソルベント組成物
【請求項２】
界面活性剤（含水率０％）または／及び低級アルコール（Ｃ１〜４）を含む第１項ソルベント組成物
【発明の詳細な説明】
【技術分野】
【０００１】本発明はポリブテン（Ｃ４のオレフィン系ポリマー）や、シリコン（有機シロキサン化合物）などの超疎水性ポリマーの分散・可溶化・溶媒を均一にして、加工性・作業性・安全性・効率性の優れたソルベント組成物に関するものであり、特に環境意識・健康配慮に力点をおいて、より経済性の優れた複合ソルベント組成物に関するものである。
当該ポリマーを含めて既に多くのソルベントや共有剤が使用されているが、全く新規の化合物が出ないまま、新しい法令や条約が作成され、閉塞状況にあることが現状である。
一方では電子産業（ＩＴ，ディスプレイ，コミュニケーション）やファインメカニカル，メディカル，スペーステクノロジー，エコテクノロジーなどの面で、より革新的な、より安全性と有用なプロセスを担保しうるものが渇望されることも事実である。
【背景技術】
【０００２】オレフィン系ポリマーはソルベントに対して極めて安定であり、複合性も低い。その中でプリヒート加工などをして、ＢＴＸ，芳香族系，ｎ−ヘキサン，ｎ−ヘプタン，直鎖飽和炭化水素と有機ハロゲン系（トリクレン，メチレンクロライド，プロピレンジクロライド），ＴＨＦ，ＣＳ２，石油エーテルなどで非極性ソルベント。
シロキサンは酢酸エステル（アミル，プロピル，ＢＴＸ，ガソリン，ＣＳ２，ミネラルスピリットなどに限られ、しかも溶解度に限りがある（最大４０ｗ％）。
当然のことながら、元のポリマーの平均分子量が大きい程、より分散しにくく、物理的昇温や振動を加えてもたいしたことは無い。【０００３】それに加えて、これらのソルベントに共通する難題は、人間特有のＤＮＡには好ましくない臭気やガス成分，作業上の制約（大気汚染，水中汚染），法令上の届出や報告，管理の義務化などに加えて、引火しやすく中には猛毒や神経毒の正体まで未解明な物が、人間のＤＮＡ，血液，リンパ，神経系を侵しているということが指摘されてより使いにくくなり、またソルベントハザードとして常に決定的なしこりとして残ってくる。ソルベントは昜揮性があり、気化しなければ、例えばトルエンや酢酸エステルを始めとした、フルーツフレーバーの香りで人の嗅覚を惑わし、気がつけば肝臓や胃、大腸がんなどや、抗菌スペクトルを抗免疫の口実となる。【０００４】また最近でのケトン系（−ＣＯ−）も、ＣＯ２発生のプロモーターとなると言われている。１価アルコールでさえ最近の過酸化状態下でＲ−ＣＯＯＨ（Ｒ：Ｃ１〜９）の中で酸化され、注意して使い続けた結果、職業有機物と認定されたものも加わって、より安全でよりノンケミカルなな物を模索しなければならない。
【本発明が解決しようとする課題】
【０００５】これらソルベントの中には、爆発性や発癌性も指摘され、ＰＲＴＲ，ＲＥＥＣＨ，ＧＨＳ，環境ホルモンの指定、爆発物の原料となるものの取引制約など、シビアな管理を正しく実行することが強いられている。
それによって単なるソルベント（物を希釈するシンナー的な力）では力不足、溶解力パラメーターの力不足は否めず、根本的にこれらの数種を併用したり、また特開２００６−２９８９７５や、特開２００１−２３４０７５や、ＳＡＮＴＳＯＬ  ＤＭＥ（ＭＯＮＳＡＮＴＯ：米），ＤＭＩ（三井化学），ＤＭＦ（三菱ケミカル）などのソルベントは価格も高く、ＤＭＦやシクロヘキサンなどは発癌性さえ注目されている。
【０００６】この様な現状の中で、ポリブテンだけ、シロキサンだけ、あるいはそれらのソルベント（溶かす）だけの物は沢山あるが、一様一律にトータルの力のあるソルベント組成は少なく、決定的な組成物の出願が望まれる。
本発明はこうした従来の難題に対して、一挙に全てを解決する方法として構成されたものである。
【０００７】本発明の第１成分は飽和炭化水素（アルカン）で、分子式はＣｎＨ２ｎ＋２（ｎは正の整数であって、ｎが５〜１８）で、非水性の物、具体的にはヘプタン，ヘキサン，イソヘキサン，オクタン，ノナン，デカンなどで、比重が０．６〜０．８、引火点が−２０〜６０℃にある揮発性の非水ソルベントである。
当該物質と相性が良く、仕上がりの優れた第２成分はＣ２〜４の１価アルコール変成体で、グリコールエーテル結合を有するものである。下表のように低級アルコールでは相混じらない。
【表１】
2012001706.tif 000002
とりわけ第２成分のＣ４の変性アルコールとしては、グリコールエーテルの異性体（イソマー）として利用する。
Ｃ３〜４のメチルメトキシブタノール，エチルメトキシブタノール，プロピルメトキシブタノール、Ｃ３のメチルメトキシプロパノール，エトキシプロパノール，メチルプロキシプロパノール，ブチルメトキシエタノールなど、概ね水溶性の低粘度（５０ｍＰａ・ｓ以下）で、比重が０．８６〜０．９８の、エーテル基（−Ｏ−）を有するアルコール変成異性体である（変性アルコールではない）。
【０００８】更に第３の、当該混成体に、本発明の今ひとつの特徴は（Ｃ５Ｈ８）ｎ（ｎは１〜３の正の整数）で示されるテルペン系炭化水素、例えばｄ−リモネン，ｌ−リモネン，ｐ−ミルセン，ターペンテイン，α−ピネン，β−ピネンなどの、多くは柑橘系フルーツの果皮抽出物である。
当該物質、とりわけｄ−リモネンは米国のＦｌｏｒｉｄａ  Ｃｈｅｍｉｃａｌ  Ｃｏｍｐａｎｙから発明されている（１９９２−１０−１５）。これ自体が化粧品，サプリ，洗浄剤，デオドラント，虫忌避剤などに常用され、みかんの成分としてＰＲされている商品群である。
【発明を実施するための最良の形態】
【０００９】本発明の組成物の最大の特徴は、溶媒の代表として大量に使用されている有機ハロゲン系（トリクレン，メチレンクロライド，パークレンなど）、芳香族ハロゲン系（ＢＴＸ，アニリン，シクロヘキサン），アセトン・ＭＥＫ・ＭＩＢＫなどのケトン系，灯油，ケロシン，ガソリン，ミネラルスピリット，フーゼル油，酢酸のエステル（Ｃ１〜４）に比べて安全性の高い（ＬＤ５０，ＢＯＤなど）、臭気・昜分解性・相溶性・ＰＲＴＲ・ＧＨＳ・ＲＥＥＣＨ・毒劇物・環境ホルモン項目などのハンディも受けない、また軽減したことであると共に、コスト的にＣとＨの単純化合物であってかなりの低価格（１Ｌ当たり８０〜２００円）であることで、安全性は高いがコスト高のコハク酸・イミダゾリン系・ピロリドン系・乳酸エステル系・テルペンアルコール系に比べて１／２〜１／５と安いことと、品不足が無いと考えられる。
しかも臭気も比較的マイルドで、特有の臭気が残ることが少ないこと、乾燥性もよく仕上がりが早い、即ち高効率へ寄与する経済効果もある。【００１０】以上をまとめると、第１成分のＣ４〜１５のＣｎＨ２ｎ＋２（ｎは４〜１５の正の整数）が５〜８０ｗ％で、そのベストレシオ２０〜６０ｗ％を含ませ、主成分として溶解・溶媒共有体（ハイブリッド）の核としてＣＨ４を出発物質とする集団であり、水に溶けない揮発性の比重が０．６〜０．８の液体で、ペンタン（Ｃ５）から利用でき、好ましくはＣ６，Ｃ７の異性体（イソヘキサン，イソヘプタン）である。
当該物質はナフサのハイパーソープションから大量に得られるローコスト（軽油やガソリン並み）で有害性も少ない（灯油並み）。【００１１】第２成分として代表される変成低級アルコール、とりわけプロパノールとブタノールの異性体、つまりエーテル基（−Ｏ−）を有する異性体であり、メチルメトキシブタノール，エチルメトキシブタノール，メチルメトキシプロパノール，エチルメトキシプロパノールなどの引火点が１０〜１００℃の、消防法の第４類第ＩＩ〜ＩＩＩ石油類に亘る揮発性体（ＶＯＣ）である。しかも−ＯＨがあり水溶性である。
都合が良いことに、［ＣｎＨ２ｎ＋２］と［Ｒ−Ｏ−］は共有結合的な力で相互に牽引し合うことになったわけである。
第２成分は、ある意味で本発明の極めて肝要な中核になる溶解パラメーターとして主役になる訳である。
演劇で言うとヒーローとヒロインの主役二人のうち、第２成分はドラマのヒーロー（英雄）であり、アクティブ且つプログレッシブであるが、ヒロインの第１成分の力無くしてインアクティブで端役になる。
故に１０〜７０ｗ％、最良で２０〜６０ｗ％とほぼ半分以上のシェアを占めることになるが、エーテル結合はＯを中心にシンメトリーに二つの分子を共有するものであり、バランスしている。【００１２】本組成物体は必要により、多くは溶媒力を増すために（Ｃ５Ｈ８）ｎ（ｎは１〜３の正数）代表される天然物としてシトラス成分（リモネン，ピネン，ｐ−ミルセンなど）に代表される柑橘系フルーツの果実に含まれる油状物を併用する。
当該物に加わって、スチロール系パッキンや廃材の収縮剤として用いられ、今や家庭用洗剤の「みかんの洗剤」として流行しているものである。
一方、当該成分の強烈なイソプレン特有の臭気は、パブロフの心理学に証明されるように、人間を一元化し、一方的なスペシフィックな習慣性をもたらし、時に悪魔の媚薬となり、多様化やバーサタイルな人間性を固定化するもので、大衆には使わない。丁度アルコール中毒症の人が、元来アルコールの１０〜１００倍以上のシンナー（トルエン，キシレン，アセトンなど）で馴化され、アルコールを多量に服しても効果が無くなるように、化学剤特有のアンバランスな力を養生している。しかし本発明はその臭気の許す限り、必要に応じて５〜６０ｗ％、好ましくは１０〜３０ｗ％まで含ませることとする。【００１３】以上の本発明の組成体は、均一に正しいソリューションを形成し、正四面体のピラミッド構造にも似た化合物となり得る。そして後述するように、莫大・広大・多目的の用途に資することができる。
本発明はテクノロジーの成果よりも、エコロジーとエコノミーにライフケアの介入を支持し、今後の人間社会に水や空気のように不可欠でエンドレスのニーズに叶うものと考えられる。【００１４】これらの組成体の比重はいずれも水より小さく、相互に混合し目的に応じて洗浄力は１価アルコール異性体を多量に、次いでテルペン系または飽和炭化水素が組み合わされる。この中に更に洗浄溶解力を向上させるために安定かつ有用なソルベントとしてコハク酸ジメチル，グルタル酸ジメチル，アジピン酸ジメチル，Ｎ−メチル−２−ピロリドン，ジメチルイミダゾリニウムベタイン，流動パラフィン，不飽和炭化水素，脱臭ケロシン，乳酸エチル，乳酸イソプロピル，ピロリドンカルボン酸イソプロピルなどを加入したり、界面活性剤としてＨＣＢに関わらず高級アルコールＥＯ付加物，脂肪酸アルカノールアミド，アミンオキサイド，アルキルイミダゾリニウムベタイン，酢酸ベタイン，ＡＯＳ，ＬＡＳ，ＳＡＳ，ＡＥＳ，ＡＳ，アルキルタフレート，アルキルイソチアネート，アルキルザルコニン酸塩，するほコハク酸塩，エーテルカルボン酸塩，アルキルグルコシド，アルキルアミドプロピルベタイン，ソルビタン脂肪酸エステル，ジアルキルスルホコハク酸塩，ポリオキシプロピレン系ノニオン，高級アルコールリン酸エステル塩，プロピレングリコール脂肪酸エステル，グリセリン脂肪酸エステル，アシルグルタミネート塩，ＨＬＢの水〜油に亘る界面活性剤を含有させることもできる。【００１５】また低級１価変成アルコールが４０ｗ％を超えた場合、正常アルコール、例えばエタノール，プロパノール，ブタノール，イソプロパノール，ジアセトンアルコール，ターシャルブチルアルコールなど、及びＰＧ，１．３ＢＧ，ＨＧ，ＰＥＧ，グリセリン，ソルビトール，ＤＰＧを併用して親水性（水混和性）へとアクセスしたり、逆に可塑剤として汎用されていたフタル酸エステル系，リン酸エステル系，アジピン酸エステル系，ポリエステル系，エポキシ系，アクリレート系，グリコール酸エステル系などを加入させてもよい。
【本発明の効果】
【００１６】本発明のソルベントは油溶性の殺虫剤（ピレスロイド），有機リン，コロイド硫黄，ハロゲン系，アニリン系），ＵＶ吸収剤，防カビ剤（ＰＣＭＸ，ヨード系，チアゾリン系，メルカプタン系，シアネート系），フォトクロミック，ＬＣ，ＥＬ素材，ＬＥＤシーラー，ルシュフェラーゼ，有機半導体，フレグランス，アロマ成分，特殊インクルミネッセンス，撥水剤（フッ素系），ウレタン−エポキシ助剤，アクリル系デオドラント，接着剤，金属キレート体，マグネティックフィラメント磁性体，カプセル作製の助剤，広告やＰＲ看板のペイントやプリントベースの分散体，プリンタのトナー，メディカルメカニクス（ＭＲＩ，ＰＥＴ，ＣＴ，マンモグラフィー，ＣＲＴ，Ｘ線装置，カテーテル，ファイバースコープ），ドラッグ分散媒，カメラ，レンズ，マイコン，ＯＳ，コンプレッサー，ＩＣ，ＬＳＩ，フォトコンダクター，ＲＯ純水装置，グリース，ガム，焦げ付き，ワックスなどの油汚れ落とし、グリルやダクトなどの食用炭化汚れクリーナー、ベンジン・トルエン・アセトンの代用として、マジックペン，サインペン，ヘアカラー，マニキュア，ヘアダイ，交通・土木・建築設備のクリーニングなど、今までのシンナーやソルベントを要する分野全てで利用でき、応用も限りない。
【００１７】そして何よりエコロジーでセーフティーであること、ノンハロゲン・ノンベンゼン・ノンフォスフェート・ノンサルファー・無硫黄・無重金属（Ｐｂ，Ｈｇ，Ｃｄ，Ｓｎ，Ｔｌ，Ｇａ，Ａｓ，Ｓｂ，Ｐｕ）であること。マイルドな臭気で揮発性も良いので作業環境の改善にもなる。そしてローコスト・高作業性・小で大の力（相乗力）など、マーケッタビリティーも完全である。
以下、本発明の具体的な例でその一例を詳しく説明する。
次の組成からなるサンプルを試作し、その効果を確認した。
【実施例１】
【表２】
2012001706.tif 000003
［検討］
（１）評価１：安定性
ガラス瓶に入れて状況を観察する（φ２０ｍｍ，８ｃｍの円筒瓶）
▲１▼＋４０℃，６０日間（閉栓）
▲２▼−４０℃，３０日間（閉栓）
▲３▼＋２０℃，３０日間（開栓）
（評価）
◎：殆ど変化なし
○：少し黄変
△：やや分離、乳化
×：色変，離別化
（結果）
【表３】
2012001706.tif 000004
（２）評価２
ア：ＳＵＳ３１６ステンレ板（２．５ｍｍ厚）に赤マジックをコートして７２時間後
イ：アルミ板（１．２ｍｍ厚）にアクリルアミドレジンコートを塗布して１週間後
ウ：スチール板（１．２ｍｍ厚）に、パラフィンワックス（４０％）＋ビーズワックス（１５％）＋オレイン酸グリセライド＋着色料（マラカイドグリーン）の混合物を１ヶ月間処理
エ：ＰＶＢレジン＋６−６ナイロン＋エタノール（２０％）液を亜鉛板（１．２ｍｍ厚）に３日漬けこむ
オ：白色ワセリン＋ステアリン酸ポリグリセライドに５％のタルクを混ぜ、ＰＥ（ＬＤＰＥ）プレート（２．１ｍｍ厚）に定着させて３日後
（評価）
◎：ほぼ完全に取れる
○：２０％ほど残る
△：半分ほど残る
×：殆ど落ちない
（結果）
【表４】
2012001706.tif 000005
（２）評価２
▲１▼シロキサンへの相溶力
・ＳＨ５５４：シリコンオイル（東レ）
・ＳＨ５４１６：変性シリコーンオイル（東レ）
・ＳＨ２４５：メチルポリシクロヘキサン（東レ）
▲２▼ポリブテン（１０％）への相溶力
・ＬＶ−１０（新日本石油）
・ＨＶ−１００（新日本石油）
・ＨＶ−１９００（新日本石油）
（評価）
○：ほぼ満足
△：５〜２０％、中には殆ど溶けず
×：殆ど溶けず、もしくは分離や異臭が伴う
（結果）
【表５】
2012001706.tif 000006
［コメント］
本発明品はそれ以外の同等な物質と比べて明らかに安定性・性能、特にポリブテンやシロキサンの相溶性と、臭気や外観においても明白な優位性を確認した。
【実施例２】本発明のサンプルの独創性に対して、数種のテストを行い明白な優位性を確認した。
【表６】
2012001706.tif 000007
［検討］
次の３用途への使用法を検討した。
（ア）ポリブテンＨＶ−１９００（新日本石油）の４０ｗ％液を、液温３０±２℃下で調整し、２１０ｇ／ｍ３で段ボール（Ｋ２）上に塗布して一昼夜放置後、段ボール面のポリブテンの粘着性を、市販のねずみ取り板の物と比較する。
（イ）ポリシロキサンとして、東レ製のＳＥ５００４（６８００ｃＰ，２５℃）の２０ｗ％液を調合して、ＳＵＳ３１６ステンレスプレート（２．２ｍｍ厚）に２０ｇ／ｍ２にコートして、３時間後と１２時間後の表面状態を観察する。
（ウ）ポリブテン系ゴキブリ取り紙にそれぞれの試作品を１０×１０ｍｍ（１００ｍｍ２＝１ｃｍ２）当たり５ｍｌのサンプルを接合させて１０分後に拭き取り、表面の粘着面を検証した。
（エ）撥水性の４０ｇ／ｍ２の加工紙に次の組成からなる塗布液を５〜７ｇ／ｍ２塗布し、２０℃，６０％ＲＨ下で６０分風乾して表面状態を検証する。
（Ａ）サンプル（８８ｗ％）＋ポリブテンＨＶ−１００（１７ｗ％）＋流動パラフィン＃７０（５ｗ％）→２０ｇ／ｍ２コート
（Ｂ）サンプル（７６ｗ％）＋ポリブテンＨＶ−１００（８ｗ％）＋シリコンＫＰ５４３（１２ｗ％）＋ＤＯＰ（４ｗ％）→１５±２ｇ／ｍ２コート
［結果］
（ア）本発明
（ｅ）：ほぼ同等の粘着面・粘性を得た
（ｆ）：同上
（ｇ）：同上（上の２つより粘着性が強い）
本発明は加工性・代替性の可能性を確かめた
本発明外の物
（Ｉ）：粘着面のムラが激化し均一性が得られない
（Ｊ）：加工不能
（Ｋ）：均一化不能（ムラが生じて紙面が侵食される）
（Ｌ）：粘着性が悪く、べとつきが著しい
（Ｍ）粘着性が本発明品の半分以下で凸凹面が激化
（イ）３時間後
本発明
（ｅ）：均一性・平滑性良好、少しべたつく
（ｆ）：均一性・平滑性良好、ほぼドライアップ
（ｇ）：ややムラ有り、平滑化は良好
本発明外の物
（Ｉ）：コート面が分離して、加工ムラ大
（Ｊ）：べとつきが大きく、乾かない
（Ｋ）：コート液が分離して加工困難
（Ｌ）：コート液が一部凝固して加工不可
（Ｍ）：コート液が分離して加工不可
１２時間後
本発明
（ｅ）：平滑面再現良好
（ｆ）：平滑面再現良好
（ｇ）：平滑面再現良好
本発明外の物
（Ｉ）：べとつき・加工ムラが甚だしい
（Ｊ）：べとつきが大きく再生不可
（Ｋ）：加工不可
（Ｌ）：加工困難、均一化不可
（Ｍ）：加工不可
（ウ）本発明
（ｅ）：ほぼ完全除去
（ｆ）：ほぼ完全除去
（ｇ）：ほぼ完全除去
本発明外の物
（Ｉ）：半分位残る
（Ｊ）：２／３位残る
（Ｋ）：点状に取りムラが残る
（Ｌ）：半分以上残る
（Ｍ）：８割以上残る（殆ど取れない）
（エ）本発明
（ｅ）：（Ａ）光透過率２０％の撥水紙，（Ｂ）透過率３３％の撥水紙
（ｆ）：（Ａ）光透過率２９％の撥水紙，（Ｂ）透過率２６％の撥水紙
（ｇ）：（Ａ）光透過率２５％の撥水紙，（Ｂ）透過率１９％の撥水紙
（Ａ）はいずれも均一化可能、（Ｂ）はほぼ予想通りの加工性を得た
本発明外の物
（Ｉ）：（Ａ），（Ｂ）共に塗布困難のためデータ取れず
（Ｊ）：（Ａ），（Ｂ）共に塗布困難のためデータ取れず
（Ｋ）：（Ａ），（Ｂ）共に塗布困難のためデータ取れず
（Ｌ）：（Ａ），（Ｂ）共に透過率１０％なれど、べとつき大
（Ｉ）：（Ａ），（Ｂ）共に塗べとつき取れず不可
［コメント］
以上、応用面でも本発明品の特化した割合の組成は、応用性・加工性・商品化の安定度・歩留まり向上・表面などの仕上がりに、有意義な結果をもたらし、新しい用途への拡大が見込める自信を得た。